(57)【要約】      （修正有）【課題】抜挿装置を具えた電気コネクタの提供。【解決手段】電気コネクタ１０が絶縁本体１を具え、該絶縁本体にプラグコネクタと接続される一対の接続面１１と、接続面と反対の接合面１２が設けられ、接続面と接合面の間の絶縁本体内に複数の導電端子２が設けられ、また接合面部分にカバー４が組み合わされた電気コネクタの抜挿装置において、カバーにハンドル４１が一体成形され、ハンドルに粗面が設けられて握持に便利とされたことを特徴とする。【選択図】図４
0003106801.tif 000002
【実用新案登録請求の範囲】
【請求項１】
抜挿装置を具えた電気コネクタにおいて、該電気コネクタは、
プラグコネクタと接続される接続面と、該接続面と反対に位置する接合面を具え、接続面と接合面の間の部分の内部に複数の導電端子を具えた絶縁本体と、
該絶縁本体の接合面部分を被覆し、電気コネクタを接続されたプラグコネクタ部分から抜き取るのに便利であると共に電気コネクタをプラグコネクタに挿入するのに便利なハンドルが一体に形成されたカバーと、
を具えたことを特徴とする、抜挿装置を具えた電気コネクタ。
【請求項２】
請求項１記載の抜挿装置を具えた電気コネクタにおいて、カバーが絶縁本体の接合面に一体に形成されたことを特徴とする、抜挿装置を具えた電気コネクタ。
【請求項３】
請求項１記載の抜挿装置を具えた電気コネクタにおいて、ハンドルの正面及び背面に内向きの凹部が設けられ、該凹部に粗面が設けられ、ハンドルの上面が円弧状に形成されたことを特徴とする、抜挿装置を具えた電気コネクタ。
【請求項４】
請求項１記載の抜挿装置を具えた電気コネクタにおいて、ハンドルの正面及び背面に内向きの凹部が設けられ、該凹部に粗面が設けられ、ハンドルの上面が扁平状に形成されたことを特徴とする、抜挿装置を具えた電気コネクタ。
【請求項５】
請求項１記載の抜挿装置を具えた電気コネクタにおいて、ハンドルの正面及び背面に粗面が形成され、ハンドルの上面が扁平状に形成されたことを特徴とする、抜挿装置を具えた電気コネクタ。
【請求項６】
請求項１記載の抜挿装置を具えた電気コネクタにおいて、ハンドルが円柱状を呈し、該ハンドルの上端が球体状に形成されたことを特徴とする、抜挿装置を具えた電気コネクタ。
【考案の詳細な説明】
【技術分野】
【０００１】
本考案は一種の電気コネクタの抜挿装置に係り、特に、握持に供されるハンドルを具えて挿入及び抜き取りのいずれにも便利とされた電気コネクタに関する。
【背景技術】
【０００２】
忙しい日常と休暇にあって、コンピュータとの接触及びその使用は一般の人が回避できない生活形態となっており、特にＤＩＹの流行の下、簡単な組立形式でコンピュータの一部の装置を交換したり或いは自分でコンピュータを組み立てることは珍しくなくなっている。しかし、コンピュータメーカーはコンピュータ内の電気コネクタが振動或いはサイズミスマッチの状況で脱落するのを防止するため、電気コネクタの雄型電気コネクタと雌型電気コネクタの組合せを、往々にして過度にきつくしがちである。このため、交換が容易でなくなり、且つコンピュータ空間が不足する状況で反作用力により使用者の手部が怪我をすることがある。
【０００３】
一般にコンピュータ内で最もよく使用される電気コネクタは、突き刺し型電気コネクタ、例えばＡＴＡ電気コネクタ、或いは現在主流のシリアルＡＴＡ電気コネクタである。図１はＡＴＡ電気コネクタ１０ａを示し、それは、絶縁本体１０１ａ及びカバー１０２ａを具え、該絶縁本体１０１ａ及びカバー１０２ａの間にスリット１０３ａが設けられて紙帯１０４ａが該スリット１０３ａ部分より延伸、通過させられる。また、図２では、該紙帯１０４ａはケーブル１０５ａ（例えば帯状ケーブル）と絶縁本体１０１ａに挟み置かれ、ゆえにＡＴＡ電気コネクタ１０ａをそれに接続されたプラグ電気コネクタ部分より抜き取る時は、使用者は紙帯１０４ａＡＴＡ電気コネクタ１０ａを握り、ＡＴＡ電気コネクタ１０ａを抜き取ればよい。
【０００４】
図３に示される周知の技術によると、ＡＴＡ電気コネクタ１０ａのカバー１０２ａに円弧状のハンドル１０６ａが挿入され、ＡＴＡ電気コネクタ１０ａを接続されたプラグ電気コネクタ部分より抜き取るときは、使用者はハンドル１０６ａを握持してＡＴＡ電気コネクタ１０ａを抜き取ればよい。
【０００５】
以上の各周知の技術は、使用上、紙帯１０４ａが抜き取り過程中に抜き取られるために、もとの補助作用を喪失する。このほか、ハンドル１０６ａが設置されると、ＡＴＡ電気コネクタ１０ａの高さが増し、小型化設計の要求に符合しなくなり、増加した高さがその他の部品の取付を妨害する。更に、上述の各種の周知の技術は、紙帯１０４ａ或いはハンドル１０６ａのいずれであって、いずれもＡＴＡ電気コネクタ１０ａの抜き取りの機能を提供するが、ＡＴＡ電気コネクタ１０ａの挿入の補助工具とはされ得ず、使用上の不便を形成する。
【考案の開示】
【考案が解決しようとする課題】
【０００６】
本考案の主要な目的は、一種の抜挿装置を具えた電気コネクタを提供することにあり、それは、握持可能なハンドルを具え、該ハンドルにより電気コネクタの挿入或いは抜き取りのいずれにも便利とされたものとする。
【課題を解決するための手段】
【０００７】
請求項１の考案は、抜挿装置を具えた電気コネクタにおいて、該電気コネクタは、
プラグコネクタと接続される接続面と、該接続面と反対に位置する接合面を具え、接続面と接合面の間の部分の内部に複数の導電端子を具えた絶縁本体と、
該絶縁本体の接合面部分を被覆し、電気コネクタを接続されたプラグコネクタ部分から抜き取るのに便利であると共に電気コネクタをプラグコネクタに挿入するのに便利なハンドルが一体に形成されたカバーと、
を具えたことを特徴とする、抜挿装置を具えた電気コネクタとしている。
請求項２の考案は、請求項１記載の抜挿装置を具えた電気コネクタにおいて、カバーが絶縁本体の接合面に一体に形成されたことを特徴とする、抜挿装置を具えた電気コネクタとしている。
請求項３の考案は、請求項１記載の抜挿装置を具えた電気コネクタにおいて、ハンドルの正面及び背面に内向きの凹部が設けられ、該凹部に粗面が設けられ、ハンドルの上面が円弧状に形成されたことを特徴とする、抜挿装置を具えた電気コネクタとしている。
請求項４の考案は、請求項１記載の抜挿装置を具えた電気コネクタにおいて、ハンドルの正面及び背面に内向きの凹部が設けられ、該凹部に粗面が設けられ、ハンドルの上面が扁平状に形成されたことを特徴とする、抜挿装置を具えた電気コネクタとしている。
請求項５の考案は、請求項１記載の抜挿装置を具えた電気コネクタにおいて、ハンドルの正面及び背面に粗面が形成され、ハンドルの上面が扁平状に形成されたことを特徴とする、抜挿装置を具えた電気コネクタとしている。
請求項６の考案は、請求項１記載の抜挿装置を具えた電気コネクタにおいて、ハンドルが円柱状を呈し、該ハンドルの上端が球体状に形成されたことを特徴とする、抜挿装置を具えた電気コネクタとしている。
【考案の効果】
【０００８】
本考案の抜挿装置を具えた電気コネクタは、直接カバーにハンドルが一体成形により設けられ、電気コネクタが接続されたプラグ電気コネクタからの抜き取りに便利であるほか、プラグ電気コネクタへの挿入に便利とされている。
【考案を実施するための最良の形態】
【０００９】
本考案によると、電気コネクタは絶縁本体を具え、該絶縁本体にプラグ電気コネクタと接続される一対の接続面と、接続面と反対の接合面が設けられ、接続面と接合面の間の絶縁本体内に複数の導電端子が設けられ、また接合面部分にカバーが組み合わされた電気コネクタの抜挿装置において、カバーにハンドルが一体成形され、該ハンドルが直接一体成形によりハンドルが設けられたことにより、電気コネクタの接続されたプラグ電気コネクタ部分からの抜き取りに便利であるのみならず、電気コネクタのプラグ電気コネクタへの挿入にも便利とされている。
【００１０】
本考案はまた、ハンドルの両面に粗面が設けられ、該粗面により使用者の握持に便利とされている。
【実施例１】
【００１１】
本考案の抜挿装置を具えた電気コネクタ１０は、図４に示されるように、シリアルＡＴＡ電気コネクタ１０とされ、それは絶縁本体１を具え、絶縁本体１はプラグ電気コネクタ（図示せず）と接続される接続面１１と、該接続面１１と反対に位置する接合面１２を具えている。接続面１１と接合面１２の間の絶縁本体１内に、複数の導電端子２が設けられ、該導電端子２は基部を具え、該基部の両端より接合部と刺破部２１が延伸され、接合部（図示せず）は絶縁本体１の接続面１１部分に位置し、刺破部２１は接合面１２部分まで延伸されてケーブル３（例えば帯状ケーブル）と接続されて導通する。
【００１２】
また接合面１２部分にカバー４が組み合わされ、該カバー４に一体成形によりハンドル４１が設けられている。本考案の第１実施例中、該ハンドル４１の正面及び背面に内向きに凹部４１１が設けられ、且つ該凹部４１１部分に粗面４１２が設けられ、該粗面４１２により使用者による握持に便利とされ、ハンドル４１の上面は円弧状に形成されている。このほか、図９に示されるように、該カバー４はまた絶縁本体１の接合面１２に一体成形可能で、これによりハンドル４１と絶縁本体１も一体成形により構成されうる。
【００１３】
図５に示されるように、電気コネクタ１０の組立時には、複数の導電端子２がそれぞれ絶縁本体１内に組み付けられ、並びに導電端子２の接合部が絶縁本体１の接続面１１部分に位置づけられ、刺破部２１は接合面１２部分に延伸され、並びにケーブル３を刺破して接続導通し、こうして手でカバー４のハンドル４１部分を握持してカバー４を絶縁本体１の接合面１２に組付けて、電気コネクタ１０の組立を完成する。
【００１４】
電気コネクタ１０と接続されるプラグ電気コネクタを接続する時は、カバー４のハンドル４１を握持して簡単便利に電気コネクタ１０をプラグ電気コネクタに挿入することができる。電気コネクタ１０を接続されたプラグ電気コネクタ部分より抜き取る時もまた、手でカバー４のハンドル４１を握持して上向きの力を加えれば、簡単に楽に電気コネクタ１０をプラグ電気コネクタ部分より抜き取ることができる。
【実施例２】
【００１５】
図６に示されるのは本考案の第２実施例であり、そのうち、ハンドル４１の正面及び背面に内向きの凹部４１１が設けられ、且つ凹部４１１部分に粗面４１２が設けられ、該粗面４１２により使用者による握持に便利とされ、該ハンドル４１の上面は扁平状とされている。
【実施例３】
【００１６】
図７に示されるのは本考案の第３実施例であり、そのうち、ハンドル４１の正面及び背面に内向きの凹部が未設置とされ、直接ハンドル４１の正面及び背面に粗面４１２が設けられ、該粗面４１２により使用者による握持に便利とされ、該ハンドル４１の上面は扁平状とされている。
【実施例４】
【００１７】
図８に示されるのは本考案の第４実施例であり、そのうち、ハンドル４１は円柱状を呈し、且つ該ハンドルの上端は球体状を呈し、上述の実施例と同様に使用者による握持に便利とされている。
【００１８】
以上の説明から分かるように、本考案では、直接カバー４にハンドル４１が一体成形により設けられ、電気コネクタ１０が接続されたプラグ電気コネクタからの抜き取りに便利であるほか、プラグ電気コネクタへの挿入に便利とされている。
【図面の簡単な説明】
【００１９】
【図１】周知の技術の立体図である。
【図２】周知の第２種の技術の立体図である。
【図３】周知の第３種の技術の立体図である。
【図４】本考案の電気コネクタの部分立体分解図である。
【図５】本考案の電気コネクタの立体図である。
【図６】本考案の電気コネクタの第２実施例の立体図である。
【図７】本考案の電気コネクタの第３実施例の立体図である。
【図８】本考案の電気コネクタの第４実施例の立体図である。
【図９】本考案の電気コネクタの第５実施例の立体図である。
【符号の説明】
【００２０】
１０ａ  電気コネクタ                    １０１ａ  絶縁本体
１０２ａ  カバー                        １０３ａ  スリット
１０４ａ  紙帯                          １０５ａ  ケーブル
１０６ａ  ハンドル
１０  電気コネクタ                      １  絶縁本体
１１  接続面                            １２  接合面
２  導電端子                            ２１  刺破部
３  ケーブル                            ４  カバー
４１  ハンドル                          ４１１  凹部
４１２  粗面
【図１】
0003106801.tif 000003
【図２】
0003106801.tif 000004
【図３】
0003106801.tif 000005
【図４】
0003106801.tif 000006
【図５】
0003106801.tif 000007
【図６】
0003106801.tif 000008
【図７】
0003106801.tif 000009
【図８】
0003106801.tif 000010
【図９】
0003106801.tif 000011